(57)【要約】【課題】本発明は、ユーザに面倒な操作を強いることなく一段と使い勝手の優れた電子ブックシステムを提案する。【解決手段】本発明は、電子ブック２は書籍データのダウンロード権利を取得し、電子ブックサーバ３は電子ブック２の利用者ＩＤとダウンロード権利を与えた書籍データの書籍データＩＤコードとを対応付けた書籍／購入者対応テーブル３８を生成し、電子ブック２からダウンロード要求を受けると、書籍／購入者対応テーブル３８に基づいて予めダウンロード権利が取得された書籍データであることを確認できた場合に予め決められたデータ量分だけ電子ブック２へ送信することにより、電子ブック２は書籍データのダウンロード権利を取得し、後はダウンロード要求を行うだけで何時でも何処でも最小限のデータ量分の書籍データを取得することができるので、必ずしも大容量のメモリをにより書籍データを保持しておく必要が無く、必要なときにのみ書籍データを取得して表示することができる。【選択図】図１
2008033945.tif 000002
【特許請求の範囲】
【請求項１】
書籍データを記憶する記憶手段と、
上記書籍データの内容をページ単位で左側表示部及び右側表示部にそれぞれ表示する表示手段と、
上記書籍データのうち上記左側表示部及び上記右側表示部にそれぞれ上記ページ単位で表示する際、当該表示ページの書籍データ全体における進行位置を把握する進行状況把握手段と、
上記進行位置に応じて上記左側表示部又は上記右側表示部の重心位置を制御する重心位置制御手段と
を具えることを特徴とする電子ブック。
【請求項２】
上記重心位置制御手段は、上記左側表示部又は上記右側表示部の内部に設けられた所定の重りを上記進行位置に応じて移動することにより上記重心位置を制御する
ことを特徴とする請求項１に記載の電子ブック。
【請求項３】
上記重心位置制御手段は、上記重りとして上記電子ブックのバッテリを用いる
ことを特徴とする請求項２に記載の電子ブック。
【請求項４】
書籍データの内容をページ単位で左側表示部及び右側表示部にそれぞれ表示する表示ステップと、
上記表示ステップで上記書籍データのうち上記左側表示部及び上記右側表示部にそれぞれ上記ページ単位で表示する際、当該表示ページの書籍データ全体における進行位置を把握する進行状況把握ステップと、
上記進行位置に応じて上記左側表示部又は上記右側表示部の重心位置を制御する重心位置制御ステップと
を具えることを特徴とする進行状況体感的通知方法。
【請求項５】
上記重心位置制御ステップでは、上記左側表示部又は上記右側表示部の内部に設けられた所定の重りを上記進行位置に応じて移動することにより上記重心位置を制御する
ことを特徴とする請求項４に記載の進行状況体感的通知方法。
【請求項６】
上記重心位置制御ステップでは、上記重りとして上記電子ブックのバッテリを用いる
ことを特徴とする請求項５に記載の進行状況体感的通知方法。
【請求項７】
コンピュータに対して、
書籍データの内容をページ単位で左側表示部及び右側表示部にそれぞれ表示する表示ステップと、
上記表示ステップで上記書籍データのうち上記左側表示部及び上記右側表示部にそれぞれ上記ページ単位で表示する際、当該表示ページの書籍データ全体における進行位置を把握する進行状況把握ステップと、
上記進行位置に応じて上記左側表示部又は上記右側表示部の重心位置を制御する重心位置制御ステップと
を実行させるための進行状況体感的通知プログラム。
【請求項８】
コンピュータに、
書籍データの内容をページ単位で左側表示部及び右側表示部にそれぞれ表示する表示ステップと、
上記表示ステップで上記書籍データのうち上記左側表示部及び上記右側表示部にそれぞれ上記ページ単位で表示する際、当該表示ページの書籍データ全体における進行位置を把握する進行状況把握ステップと、
上記進行位置に応じて上記左側表示部又は上記右側表示部の重心位置を制御する重心位置制御ステップと
を実行させるための進行状況体感的通知プログラムを記録したコンピュータ読み取り可能な進行状況体感的通知プログラム格納媒体。
【発明の詳細な説明】
【技術分野】
【０００１】
本発明は電子ブック、進行状況体感的通知方法、進行状況体感的通知プログラム及び進行状況体感的通知プログラム格納媒体に関し、例えば電子ブックサーバからダウンロードした書籍データを携帯端末（以下、これを電子ブックと呼ぶ）を介して表示する電子ブックシステムに適用して好適なものである。
【背景技術】
【０００２】
従来、電子ブックにおいては所定の電子ブックサーバから予めダウンロードして記憶しておいた書籍データを内蔵メモリから読み出し、当該書籍データに応じた書籍の内容をページ毎に対応して設けられた液晶ディスプレイでなる左側表示部及び右側表示部に表示することにより、あたかもユーザに対して本物の書籍を読書するかのように使用させ得るようになされている。
【０００３】
この種の電子ブックでは、内蔵メモリに記憶した書籍データを逐次更新することにより様々な書籍の内容を表示し得ると共に、予め書籍データが格納された着脱自在な記憶媒体（記録メディア）を装着することにより当該記録メディアから書籍データを読み出して表示し得、かくして記録メディアの交換によっても多種類の書籍の内容をユーザへ提供し得るようになされている。
【発明の開示】
【発明が解決しようとする課題】
【０００４】
ところでかかる構成の電子ブックにおいては、１冊分の書籍に相当する書籍データのデータ量が膨大な場合には、多数冊分もの書籍データを内蔵メモリに格納することはできなかった。このためユーザは、電子ブックに希望書籍の書籍データが格納されていない場合、改めてダウンロードして書籍データを更新するか、又は記録メディアを交換しなければならず、面倒な操作を強いられるという問題があった。
【０００５】
本発明は以上の点を考慮してなされたもので、ユーザに面倒な操作を強いることなく一段と使い勝手の優れた電子ブック、進行状況体感的通知方法、進行状況体感的通知プログラム及び進行状況体感的通知プログラム格納媒体を提案しようとするものである。
【課題を解決するための手段】
【０００６】
かかる課題を解決するため本発明においては、記憶手段から読み出した書籍データの内容をページ単位で左側表示部及び右側表示部にそれぞれ表示し、その際表示ページの書籍データ全体における進行位置を把握し、当該進行位置に応じて左側表示部又は右側表示部の重心位置を制御するようにする。
【０００７】
表示ページの書籍データ全体における進行位置に応じて左側表示部又は右側表示部の重心位置を移動して調整することにより、あたかも実際の書籍のページを捲り進めて行く際に感じる重さの変化を体感的にユーザに認識させることができる。
【発明の効果】
【０００８】
上述のように本発明によれば、表示ページの書籍データ全体における進行位置に応じて左側表示部又は右側表示部の重心位置を移動して調整することにより、あたかも実際の書籍のページを捲り進めて行く際に感じる重さの変化を体感的にユーザに認識させることができる。
【発明を実施するための最良の形態】
【０００９】
以下、図面について、本発明の一実施の形態を詳述する。
【００１０】
（１）電子ブックシステムの全体構成
図１において、１は全体として本発明における電子ブックシステムを示し、ユーザが携帯して用いる電子ブック２、複数種類の書籍の書籍データを格納した電子ブックサーバ３及び書籍データのダウンロードを行うため例えば本屋等に設置されたキオスク端末５が例えばインターネット４のネットワークを介して接続された構成を有する。
【００１１】
また電子ブックシステム１は、インターネット４を介して出版社のコンピュータ装置６や執筆家又は作家の使用するパーソナルコンピュータ７と電子ブックサーバ３とが接続されており、これにより電子ブックサーバ３には出版社や作家から直接送信された書籍データを格納し得、キオスク端末５を介してユーザ所有の電子ブック２へ最新の書籍データを提供したり、インターネット４を介して電子ブック２へ当該書籍データを直接提供し得るようにもなされている。
【００１２】
図２に示すように電子ブック２は、左側表示部１０及び右側表示部１１がほぼ中心に位置された回動軸部１２に対して回動自在に取り付けられ、あたかも実際の書籍を開くかのように回動軸部１２を中心として左側表示部１０及び右側表示部１１の開閉動作を行い得るようになされている。
【００１３】
ここで左側表示部１０及び右側表示部１１には、それぞれに左側ＬＣＤ（Liquid Crystal Display）２４Ｌ及び右側ＬＣＤ２４Ｒが取り付けられており、当該左側表示部１０及び右側表示部１１に実際の書籍と同様の内容が１ページ分づつ表示される。
【００１４】
また電子ブック２は、回動軸部１２の下方位置に、矢印ａ方向及び矢印ｂ方向へ回動自在でかつ押下操作可能なジョグダイヤル１２Aが設けられており、当該ジョグダイヤル１２Ａの回動操作に応じて左側表示部１０及び右側表示部１１に表示した内容を切り換え、あたかも実際に書籍のページを捲っているかのような印象をユーザに対して与えるようになされている。
【００１５】
因みにジョグダイヤル１２Aは、当該ジョグダイヤル１２Aに対する回転操作に対して所定回転角度毎に軽い引っ掛かり感をユーザに与えるようになされており、この軽い引っ掛かり感に相当する１回分の回転操作量（以下、これを１ページ捲りに相当する回転クリックと呼ぶ）をユーザに対して指先の触感を通じて認識させるようになされている。
【００１６】
従って電子ブック２は、ジョグダイヤル１２Aに対する回転クリック数に応じたページ捲り動作を行い、当該回転クリック数に対応して表示内容を切り換えるようになされている。
【００１７】
実際上、図３に示すように電子ブック２は例えばユーザの左手で把持された際に当該左手の親指で回動操作可能な位置にジョグダイヤル１２Ａが設けられ、ユーザが左手で把持した状態のまま当該左手の親指により当該ジョグダイヤル１２を回動操作し得るような操作性に優れた構成を有しており、これによりページ捲り操作を容易に実行させ得るようになされている。
【００１８】
因みに電子ブック２では、左側表示部１０又は右側表示部１１の背面側に加速度センサ（図示せず）が内蔵されており、図４に示すようにユーザが手首を返す動きの動作方向を当該加速度センサにより検出し、その検出結果に応じてページ捲り動作を実行するようにもなされている。これによりユーザはジョグダイヤル１２を操作し難い状況下であっても、容易にページ捲り動作を実行することができる。
【００１９】
なお電子ブック２では、手首を返したときの動作方向を検出する手段として加速度センサを用いたが、当該加速度センサの代わりに傾き検出用の水銀スイッチや、可変抵抗器に重りをぶら下げたものを左側表示部１０又は右側表示部１１の背面側に内蔵して動作方向を検出しても良い。
【００２０】
さらに電子ブック２では、図５に示すように左側表示部１０及び右側表示部１１の液晶ディスプレイ表面に静電容量センサ又は感圧センサ等の接触センサ（図示せず）を設ければ、当該液晶ディスプレイ表面が指でなぞられたときの方向を検出してページ捲り動作を実行することもできる。
【００２１】
同様にして電子ブック２では、図６に示すように左側表示部１０及び右側受光部１１にそれぞれ赤外線発光部１５、１７及び赤外線受光部１６、１８を設ければ、左側表示部１０の赤外線発光部１５及び赤外線受光部１６でユーザの手を感知した後、右側表示部１１の赤外線発光部１７及び赤外線受光部１８でユーザの手を感知することにより動作方向を検出し、当該動作方向へページ捲り動作を実行することができる。
【００２２】
同様に電子ブック２では、右側表示部１１の赤外線発光部１７及び赤外線受光部１８でユーザの手を感知した後、左側表示部１０の赤外線発光部１５及び赤外線受光部１６でユーザの手を感知することにより動作方向を検出し、上述のページ捲り動作とは逆方向へページ戻し動作を実行することもできる。
【００２３】
なお電子ブック２は、回動軸部１２の背面側上方には引出収納式でなるアンテナ１３が設けられており、電子ブックサーバ３とインターネット４を介して通信接続し、当該電子ブックサーバ３から書籍データをダウンロードする際に用いられるようになされている。
【００２４】
またキオスク端末５（図１）は、所定の装着口５Ａへ装着された電子ブック２に対して、端末画面を介してユーザにより選択された書籍の書籍データを電子ブックサーバ３からダウンロードして書き込むようになされており、またキオスク端末５自身で当該書籍データを所有している場合には電子ブック２に対して直接書き込むようになされている。
【００２５】
なおキオスク端末５は、多くの冊数を店頭に並べることが困難な小規模な小売店に配置された場合に特に有効であり、当該小売店が所有していない書籍についても電子ブックサーバ３を介してダウンロードすることができるので、ユーザのあらゆるニーズに応えることが可能となる。
【００２６】
これにより電子ブック２のユーザは、電子ブックサーバ３へ直接アクセスすることにより所望書籍の書籍データをダウンロードできると共に、キオスク端末５を介して所望書籍の書籍データをダウンロードできるようにもなされており、書籍データの取得方法を任意に選択し得るようになされている。
【００２７】
（２）書籍データの取得処理
図７に示すように電子ブック２は、当該電子ブック２全体を統括制御するＣＰＵ（Central Processing Unit）２０、ワークエリアとして用いられるＲＡＭ（Random Access Memory）２１、基本プログラム及び種々のアプリケーションプログラムが格納されたＲＯＭ（Read Only Memory）２２、左側表示部１０に左側ページの内容を表示する左側ＬＣＤ（Liquid Crystal Display）２４Ｌ、右側表示部１１に右側ページの内容を表示する右側ＬＣＤ２４Ｒ、電子ブックサーバ３からダウンロードした書籍データを格納する内蔵型の不揮発性メモリ２３、ジョグダイヤル１２Aの回動操作及び押下操作に応じた命令や、電子ブック２の筐体表面に設けられた操作ボタン（図示せず）の操作に応じた命令を生成してＣＰＵ２０へ伝達する入力インターフェース２５、キオスク端末５を介して電子ブックサーバ３との間でデータ通信を行うためのネットワークインターフェース２６、無線により電子ブックサーバ３と直接データ通信するための変復調等の送受信処理を行う送受信回路２７及びバッテリ２８がバス２９を介して相互に接続された構成を有する。
【００２８】
この電子ブックシステム１においては、その使用形態としてユーザの購入した書籍データを電子ブックサーバ３から電子ブック２にダウンロードして表示し、当該ユーザに対して読ませるようになされているが、実際上ユーザは購入した書籍の書籍データを電子ブックサーバ３から自由にダウンロードして何時でも読むことができる権利を取得したに過ぎず、購入した書籍の書籍データを全ページ分全て一括してダウンロードできるわけではない。
【００２９】
すなわち電子ブックシステム１では、電子ブックサーバ３が電子ブック２に対して書籍１冊分の書籍データを全て一括してダウンロードすることを禁じており、これにより１冊分の書籍データに対する不正コピーや不正転送若しくは不正使用等を未然に防止し得るようになされている。
【００３０】
なお電子ブックシステム１では、使用形態として書籍の書籍データを購入させる購入方法以外にも一定期間だけ書籍データのダウンロードする権利（以下、これをダウンロード権利と呼ぶ）を認める貸出方法が考えられ、サービス提供者側の希望により書籍データの提供形態が決定される。
【００３１】
ところで電子ブック２においては、電子ブックサーバ３から書籍データを購入するための購入モードと、既に購入済みの書籍データの内容を左側表示部１０及び右側表示部１１に表示して書籍データの内容をユーザに読ませるための読書モードとがあり、この購入モード及び読書モードについてそれぞれ説明する。
【００３２】
なお電子ブック２では、購入モードにおいて当該電子ブック２からインターネット４を介して電子ブックサーバ３と無線により直接アクセスし、当該電子ブックサーバ３から所望書籍の書籍データをダウンロードする直接方式と、上述のキオスク端末５を介して電子ブックサーバ３から所望書籍の書籍データを有線により間接的にダウンロードする間接方式とがあり、ユーザはいずれかを選択し得るようになされている。
【００３３】
（２−１）直接方式の購入モード
まず、直接方式の購入モードにおいて電子ブック２のＣＰＵ２０は、ユーザによってアンテナ１３が引き出されたことを認識すると、ユーザが電子ブックサーバ３から書籍データをダウンロードすることを希望していると判断し、バッテリ２８から各種回路部へ電力を供給すると共に基本プログラム及びアプリケーションプログラムを立ち上げることにより起動する。
【００３４】
そして電子ブック２のＣＰＵ２０は、ユーザにより入力されたユーザＩＤ及びパスワードを予め送信先として登録されている電子ブックサーバ３へ送信し、当該電子ブックサーバ３によって電子ブック２が正規の登録ユーザであることが認証されると、当該電子ブックサーバ３から図８に示すような本屋選択画面４０（４０Ｌ及び４０Ｒ）をダウンロードして左側表示部１０及び右側表示部１１に表示する。
【００３５】
この場合、電子ブック２のＣＰＵ２０は、パーソナルコンピュータのように起動までに多数の工程を経る必要がない専用端末であることから瞬時に起動し得、アンテナ１３が引き出されてから僅かな時間で本屋選択画面４０を初期画面として表示するようになされており、これによりユーザに対して時間的なストレスを感じさせることなく使用させ得るようになされている。
【００３６】
この本屋選択画面４０には、例えば旅行関係の書籍を専門的に扱う本屋を示す「ブックストラベル」の表示部分４１、ビジネス書を専門的に扱う本屋を示す「ビジネス書専門店」の表示部分４２等が表示され、この他にもページを進めるに連れて種々の本屋が表れるようになされている。
【００３７】
ここで本屋選択画面４０には、現在フォーカスの当っている選択可能な本屋（「ビジネス書専門店」）の表示部分４２に網掛処理が施されるようになされており、ジョグダイヤル１２Ａの回動操作に応じて当該フォーカス部分が回動操作方向へ移動して表示される。
【００３８】
ユーザは、本屋選択画面４０に表示された中から所望の本屋を見つけ、ジョグダイヤル１２Ａを操作することにより、所望の本屋（この場合、「ビジネス書専門店」）の表示部分４２にフォーカスを当て、その状態でジョグダイヤル１２Ａを押下操作すればよい。
【００３９】
これにより電子ブック２のＣＰＵ２０は、図９に示すような「ビジネス書専門店」に対応した書籍選択画面４４（４４Ｌ及び４４Ｒ）を電子ブックサーバ３からダウンロードして左側表示部１０及び右側表示部１１に表示し、あたかもユーザが実際に「ビジネス書専門店」の本屋に入店して書籍を選択するかのような印象を与えるようになされている。
【００４０】
ここで書籍選択画面４４は、左側表示部１０に表示された書籍内容画面４４Ｌと、右側表示部１１に表示された書籍棚画面４４Ｒとによって構成されている。当該書籍棚画面４４Ｒでは、本棚に背表紙が向けられている状態の書籍が複数並べられて表示され、本棚の下部には本屋名称（「ビジネス書専門店」）、取扱書籍数（「20000種」）、週間来客数（「1200人」）及び本日来客数（「15人」）が表示されると共に本屋内における当該本棚の現在地点が表示されている。
【００４１】
書籍棚画面４４Ｒにおいて、ユーザが所望の書籍例えば「ウィンテル神話の嘘」とタイトルされた書籍４５をジョグダイヤル１２Ａ等の操作により選択した場合、電子ブック２のＣＰＵ２０は当該書籍４５を手前側へ倒しかけた状態に表示し、あたかも書籍４５にユーザが手をかけて取り出そうとしているかのような印象を与えると共に、書籍４５を選択したことを視覚的かつ直感的に認識させ得るようになされている。
【００４２】
また書籍内容画面４４Ｌでは、書籍棚画面４４Ｒでユーザによって選択された書籍４５に対応した「タイトル」、「著作者」及び「概要」が所定のキャラクタ４６による吹出４７を介して示される。これによりユーザは、書籍棚画面４４Ｒ及び書籍内容画面４４Ｌでなる書籍選択画面４４の中から所望の書籍４５をその内容を把握しながら容易に選択し得るようになされている。
【００４３】
電子ブック２のＣＰＵ２０は、書籍４５が選択された状態でジョグダイヤル１２Ａが押下操作されると、ユーザによって当該書籍４５が決定されたことを認識し、図１０に示すような書籍購入画面５０（５０Ｌ及び５０Ｒ）を電子ブックサーバ３からダウンロードして左側表示部１０及び右側表示部１１に表示する。
【００４４】
書籍購入画面５０は、決済内容画面５０Ｌ及び購入決定画面５０Ｒによって構成されており、購入決定画面５０Ｒにはユーザによって選択された書籍の表紙表示部５１、大まかな「あらすじ」を示した概要表示部５２、購入決定ボタン５３及びキャンセルボタン５４が設けられると共に、決済内容画面５０Ｌには書籍４５の価格及び決済方法等を示した吹出５５が表示されている。
【００４５】
電子ブック２のＣＰＵ２０は、書籍購入画面５０上でユーザによって購入決定ボタン５３が押下操作されたことを認識すると、例えばプリペイドカード型電子マネーによる決済を行うための電子決済画面（図示せず）を表示し、当該プリペイドカード型電子マネーのカード裏面に記入されている文字の入力をユーザに対して促すようになされている。
【００４６】
ここでプリペイドカード型電子マネーとは、ビットキャッシュでの支払いに対応したコンテンツ（この場合には書籍データ）の購入を希望するユーザが所定の取扱店で入手したプリペイドカードの裏面に記入されている文字を入力することにより、当該プリペイドカードの購入額上限を限度にＷｅｂ上で決済することが可能なシステムである。ユーザは直接クレジットカード番号を入力する必要がないので個人情報がインターネット４上に流出することを予め防止できるといった特徴を有する。
【００４７】
電子ブック２のＣＰＵ２０は、操作ボタン等を介してユーザにより入力されたプリペイドカード型電子マネーの文字を送受信回路２７及びアンテナ１３を介して電子ブックサーバ３へ送信し、当該電子ブックサーバ３による認証結果を待つ。
【００４８】
図１１に示すように電子ブックサーバ３は、当該電子ブックサーバ３全体を統括制御するＣＰＵ３０、ワークエリアとして用いられるＲＡＭ３２、電子ブック２、出版社のコンピュータ装置６、作家の使用するパーソナルコンピュータ７及びキオスク端末５とインターネット４を介してデータ通信を行うためのネットワークインターフェース３３、基本プログラム及び種々のアプリケーションプログラムを格納すると共に、複数種類の書籍データを蓄積した書籍データ格納部３４Ａ、ユーザの書籍データに関する利用状況の利用履歴を蓄積した利用履歴データベース３４Ｂ、電子決済を行うための決済データベース３４Ｃ及びユーザによりダウンロード権利の購入された書籍の書籍データを格納管理する購入済書籍データベース３４Ｄを構築するハードディスク３４がバス３５を介して相互に接続された構成を有する。
【００４９】
電子ブックサーバ３のＣＰＵ３０は、ネットワークインターフェース３３を介して電子ブック２からプリペイドカード型電子マネーの文字を受信し、当該文字に基づいて決済データベース３４Ｃを参照することにより正規ユーザであることの認証を行い、その認証が済むと正規ユーザである旨及びプリペイドカード型電子マネーの使用可能残金額を電子ブック２へ通知する。
【００５０】
電子ブック２のＣＰＵ２０は、電子ブックサーバ３から正規ユーザである旨の認証結果の通知を受けると、決済内容画面５０Ｌ（図１０）の吹出５５中に「あなたの残高は10000felica-ptです」といった使用残高を表示し、購入ボタン５３のクリックを再度待ち受ける。
【００５１】
この後、電子ブック２のＣＰＵ２０は購入ボタン５３が再度クリックされたことを認識すると、当該電子ブックサーバ３に対して書籍データのダウンロードを許可してもらうためのダウンロード権利取得要求を送信する。
【００５２】
電子ブックサーバ３のＣＰＵ３０は、電子ブック２からのダウンロード権利取得要求に基づいて書籍データのダウンロードを許可する（以下、これを「ダウンロード権利を与える」と呼ぶ）と共に当該許可した書籍データを購入済書籍データベース３４Ｄに格納した後、その書籍データに対応する課金データを決済データベース３４Ｃにおけるユーザの決済データに対して更新することにより課金処理を行うようになされている。
【００５３】
このとき電子ブックサーバ３のＣＰＵ３０は、図１２に示すように書籍名に対して固有の書籍データＩＤ(Identification)コードが割り当てられた書籍名対応テーブル３７を書籍データ格納部３４Ａに所有しており、ダウンロード権利を与えた書籍名に対応付けられた書籍データＩＤコードを当該書籍名対応テーブル３７から読み出して電子ブック２へ送信する。
【００５４】
このとき電子ブックサーバ３のＣＰＵ３０は、図１３に示すように書籍データＩＤコードに対してダウンロード権利を与えた電子ブック２の利用者ＩＤコードが登録されている書籍購入者対応テーブル３８を書籍データ格納部３４Ａに所有しており、当該書籍購入者対応テーブル３８の書籍データＩＤコードに対して先程ダウンロード権利を与えた電子ブック２の利用者ＩＤコードを追加登録するようになされている。
【００５５】
これにより電子ブックサーバ３のＣＰＵ３０は、どの書籍に対して誰がダウンロード権利を所有しているかを一元的に管理し得るようになされている。
【００５６】
また電子ブックサーバ３のＣＰＵ３０は、図１４に示すように利用者ＩＤコードに対して書籍データＩＤコード及び読みかけフラグが対応付けられた利用履歴対応テーブル３９を利用履歴データベース３４Ｂに所有しており、当該利用履歴対応テーブル３９の読みかけフラグを介して書籍データＩＤコードに対応した書籍が「未読」であるか又は「読みかけ」であるかを識別し得るようになされている。
【００５７】
すなわち電子ブックサーバ３のＣＰＵ３０は、読みかけフラグが「０」のとき「未読」であることを認識し、読みかけフラグが「１」のとき「読みかけ」であることを認識し、電子ブック２から要求に応じて利用履歴に関する情報を提供し得るようになされている。
【００５８】
なお利用履歴対応テーブル３９には、説明の便宜上、読みかけフラグについてのみ説明したが、当該読みかけフラグの他にも、何日以上にもわたって全く読まれていない書籍や、既に１度読み終えている書籍に関するフラグ、及び当該書籍における「読みかけ途中の見開き２ページ」のページ数を読書進行状況情報とする種々の属性情報が対応付けられており、ユーザの書籍データに関する種々の利用状況が利用履歴として記録されている。
【００５９】
これに対して電子ブック２のＣＰＵ２０は、ユーザにより選択された書籍データのダウンロード権利を電子ブックサーバ３から取得すると、当該権利取得した書籍に対する書籍データＩＤコードの通知を電子ブックサーバ３から受け、これを不揮発性メモリ２３に記憶する。
【００６０】
このように電子ブック２のＣＰＵ２０は、ダウンロード権利を取得した書籍の書籍データＩＤコードを順次不揮発性メモリ２３に記憶することにより、権利取得した書籍についてダウンロードを希望する際には当該書籍データＩＤコードを電子ブックサーバ３へ送信するだけで良く、何時でも簡易に書籍データを取得し得るようになされている。
【００６１】
実際上、電子ブック２のＣＰＵ２０は、電子ブックサーバ３に対して自身で購入した書籍に関する情報の要求を行うと、当該電子ブックサーバ３から図１５に示すような「マイ本棚」画面６０をダウンロードして左側表示部１０及び右側表示部１１に表示するようになされている。
【００６２】
この「マイ本棚」画面６０は、利用履歴対応テーブル３９（図１４）に基づいて作成されており、ユーザ自身で購入（ダウンロード権利を取得）した書籍が本棚に実際に並べられたかのような様子が表示されている。
【００６３】
電子ブック２のＣＰＵ２０は、「マイ本棚」画面６０を介して先程ダウンロード権利を取得した書籍（「ウィンテル神話の嘘」）６１を手前側に倒しかけた状態で表示することにより、当該書籍６１が先程ダウンロード権利を取得した書籍であって現在選択されていることをユーザに対して視覚的に認識させ得るようになされている。
【００６４】
また「マイ本棚」画面６０では、現在選択されている書籍６１の「タイトル」、「著者」、「最後に読んだ日」、「購入日」、「ページ数」及び「その他の情報（既に読み終えたページ数等）」等の属性情報が吹き出し部６２に表示されると共に、読みかけの書籍６３が全て斜めに倒された状態で表示され、ここ最近全く読まれていない書籍６４が横倒しされた状態で表示されており、書籍６３及び６４等の表示形態によって当該書籍に対する利用履歴等を視覚的かつ直感的に認識させ得るようになされている。
【００６５】
また電子ブック２のＣＰＵ２０は、「マイ本棚」画面６０における「買った順」ボタン６５、「読んだ順」ボタン６６、「著者名」ボタン６７及び「ＥＸＩＴ」ボタン６８のいずれかが選択されると、当該「マイ本棚」画面６０の本棚に並べられている書籍の順番を変更して表示し、ユーザが好む順番に変更して表示し得るようになされている。
【００６６】
この後、ユーザによって書籍６１を読書することが決定されると、電子ブック２のＣＰＵ２０は、当該書籍６１に対応した書籍データＩＤコードを電子ブックサーバ３へ送信する。
【００６７】
これにより電子ブックサーバ３のＣＰＵ３０は、購入済書籍データベース３４Ｄから書籍データＩＤコードに対応した書籍６１の書籍データを予め決められた所定ページ分（例えば１０ページ分）だけ読み出して電子ブック２へ送信するようになされている。
【００６８】
この結果、電子ブック２のＣＰＵ２０は、図１６に示すように、ユーザによるジョグダイヤル１２Ａに対するページ捲り動作に応じて最初の目次部分６９を右側表示部１０及び左側表示部１１に表示するようになされている。
【００６９】
（２−２）間接方式の購入モード
これに対して間接方式の購入モードは、本屋等に設置されたキオスク端末５を介して書籍データのダウンロード権利を電子ブックサーバ３から間接的に取得するようになされており、ユーザが例えば何らかの書籍を所有していた場合に、当該書籍を一つの「きっかけ」として当該書籍と何らかの関係を有する他の書籍を容易に検索してダウンロード権利を取得することが可能な購入方式であって、以下具体的に説明する。
【００７０】
図１７に示すようにキオスク端末５の制御部８０はマイクロプロセッサ構成でなり、電子ブック装着口５Ａを介して電子ブック２がデータ書込部８７に電気的に接続された状態で、スキャナー等でなる書籍情報読取部８１にユーザ所有の実際の書籍における表紙部分が翳されると、書籍データ格納部８４からコンテンツ検索提示プログラムを立ち上げ、当該コンテンツ検索提示プログラムに従って当該書籍情報読取部８１により当該表紙部分を読み取り、その画像を表示部８５に表示するようになされている。
【００７１】
この場合、図１８に示すようにキオスク端末５は、書籍情報読取部８１によって読み取った書籍の表紙部分９０（書籍の表紙部分及び帯状のカバー部分）を表示部８５に表示し、当該表紙部分９０の下部に当該表紙部分９０から抽出した著者（「村下竜」）、題名（「三分後の世界」）、出版社（「幻夏舎文庫」）を表示すると共に、当該書籍をＷｅｂ上で購入した場合のネット価格（「480円」）を表示し、さらに書籍予約ボタン９１及び電子書籍購入ボタン９２を表示するようになされている。
【００７２】
また、表示部８５に表示された表紙部分９０には、キーワードとして抽出可能な文字列に対して所定色の太枠で囲われた例えば著者名（「村下竜」）選択部分９３、出版社名（「幻夏舎文庫」）選択部分９４、カバーデザイン者名（「横尾忠則」）選択部分９５及び賞（「芥川賞」）選択部分９６が関連情報として表示されており、操作入力部（図示せず）の操作によって検索時に用いるキーワードを任意に選択させ得るようになされている。
【００７３】
キオスク端末５の制御部８０は、例えば賞部分９６がユーザによって選択されたことを認識すると、「芥川賞」の文字列をキーワードとして抽出した後、これを書籍情報データベース８３で照合する。
【００７４】
実際上、キオスク端末５の制御部８０は、図１９に示すように書籍情報データベース８３に格納されているキーワード対応テーブル９８を基に「芥川賞」のキーワードに対応付けられている書籍データＩＤコードを全て読み出し、これを図２０に示すような書籍データＩＤコードに対応した書籍の表紙部分を羅列した検索結果画面１００として表示部８５に表示する。
【００７５】
この検索結果画面１００では、例えば過去３年間に渡る芥川賞受賞作品の書籍における表紙部分が年度別に表示されており、ユーザは画面右側の三角形状のスクロールボタンを操作しながら所望の書籍を見つけるようになされている。
【００７６】
この検索結果画面１００中に所望の書籍が存在しない場合、ユーザは画面上端に表示された「キーワード」ボタン１０１、「出版社」ボタン１０２、「著者」ボタン１０３、「ジャンル」ボタン１０４、「あの人のおすすめ」ボタン１０５及び「今月の新刊１０」ボタン１０６の中から任意のボタンを選択してクリックすればよい。
【００７７】
キオスク端末５の制御部８０は、例えば「今月の新刊１０」ボタン１０６がクリックされたことを認識すると、「今月の新刊」というキーワードに対応付けられている書籍データＩＤコードを全て書籍情報データベース８３から読み出し、図２１に示すような「今月の新刊」に関する検索結果画面１１０を表示部８５に表示する。
【００７８】
「今月の新刊」に関する検索結果画面１１０では、今月新刊となった書籍の表紙部分が円環状に羅列表示され、操作入力部の操作に伴って回転表示されるようになされている。
【００７９】
例えば、この検索結果画面１１０中にユーザが購入を希望する所望の書籍１１１が存在する場合、当該書籍１１１を選択して書籍予約ボタン９１をクリックし、最後に電子書籍購入ボタン９２をクリックすればよい。
【００８０】
これによりキオスク端末５の制御部８０は、表示部８５に所定の認証画面（図示せず）を表示し、電子ブックサーバ３に予め登録されている正規ユーザであることを証明するためのパスワード及び電子決済のためのクレジットカード番号等の入力を促し、当該入力されたパスワードに基づいて電子ブックサーバ３に対して認証処理を要求し、正規ユーザであることを確認するようになされている。
【００８１】
そしてキオスク端末５の制御部８０は、認証確認が終了すると、予約書籍表示部１１２に表示された書籍１１１に対する書籍データのダウンロード要求をネットワークインターフェース８６を介して電子ブックサーバ３へ行う。
【００８２】
電子ブックサーバ３のＣＰＵ３０は、キオスク端末５からのダウンロード要求に基づいて書籍１１１の書籍データのダウンロードを許可すると共に、その書籍データに対応する課金データを決済データベース３４Ｃにおける決済データに対して加算して更新することにより課金処理を行う。
【００８３】
その後、電子ブックサーバ３のＣＰＵ３０は、当該ダウンロード要求された書籍データを書籍データ格納部３４Ａから所定の１０ページ分だけ読み出してキオスク端末５へ送信する。
【００８４】
キオスク端末５の制御部８０は、電子ブックサーバ３から受信した１０ページ分の書籍データをデータ書込部８７を介して電子ブック装着口５Ａに装着された電子ブック２に書き込むようになされている。
【００８５】
またキオスク端末５は、書籍１１１に対する書籍データを予め書籍データ格納部８４に格納している場合には当該書籍データ格納部８４から１０ページ分の書籍データを読み出し、データ書込部８７を介して電子ブック装着口５Ａに装着された電子ブック２に書き込むようになされている。
【００８６】
この場合、キオスク端末５は書籍データを１０ページ分ダウンロードしたことを利用履歴情報として電子ブックサーバ３へ通知するようになされている。
【００８７】
このようにして電子ブック２による書籍データの購入処理が終了すると、キオスク端末５の制御部８０は、図２２に示すような書籍データ購入終了画面１２０を表示部８５に表示し、書籍データの購入が無事に済んだことをユーザに対して認識させるようになされている。
【００８８】
なおキオスク端末５では、ユーザ所有の書籍の表紙部分を書籍情報読取部８１によって読み取るのではなく、出版社名、著者名等のキーワードをユーザに対して直接入力させることにより書籍の検索結果を表示し、その中からユーザ所望の書籍を選択させることも可能である。
【００８９】
（２−３）書籍データの取得表示処理
次に、電子ブック２において直接購入モード若しくは間接購入モードを介して購入（ダウンロード権利取得）した書籍データを電子ブックサーバ３から所定ページ分（１０ページ分）づつダウンロードして左側ＬＣＤ２４Ｌ及び右側ＬＣＤ２４Ｒに表示する書籍データの取得表示処理について説明する。
【００９０】
電子ブック２の所有者であるユーザは、予めダウンロード権利を取得しておいた書籍を読む場合、まずアンテナ１３を引き出し、インターネット４を介して電子ブックサーバ３と通信可能な状態を確立する。
【００９１】
電子ブック２のＣＰＵ２０は、アンテナ１３が引き出されたことを認識すると、電子ブックサーバ３から予め購入（ダウンロード権利取得）しておいた書籍データをダウンロードすることを希望していると判断し、バッテリ２８から各種回路部へ電力を供給すると共に基本プログラム及びアプリケーションプログラムを立ち上げることにより起動し、電子ブックサーバ３から図１５で示したような「マイ本棚」画面６０をダウンロードして左側表示部１０及び右側表示部１１に表示する。
【００９２】
そして電子ブック２のＣＰＵ２０は、「マイ本棚」画面６０の中からユーザが読むことを希望している例えば書籍６１が選択されてクリックされたことを認識すると、当該書籍６１に対する書籍データＩＤコード及び利用者ＩＤコードを電子ブックサーバ３へ送信する。
【００９３】
電子ブックサーバ３のＣＰＵ３０は、電子ブック２から受信した利用者ＩＤコード及び書籍データＩＤコードを基に書籍名対応テーブル３７（図１２）及び書籍購入者対応テーブル３８（図１３）を参照することにより、電子ブック２のユーザが要求している書籍が予めダウンロード権利の取得された書籍データであるか否かを確認し、その確認を得た場合に初めて当該ダウンロード要求された書籍データを電子ブック２へ送信する。
【００９４】
このとき電子ブックサーバ３のＣＰＵ３０は、利用履歴対応テーブル３９（図１４）に基づいて書籍データが未読のものであることを認識した場合には、書籍データを最初の１０ページ分だけ送信し、読みかけフラグを「１」に書き換えると共に１０ページ分の書籍データを送信したことを利用履歴情報として書き加えることにより、電子ブック２の書籍データに対する利用状況を管理し得るようになされている。
【００９５】
また電子ブックサーバ３のＣＰＵ３０は、利用履歴対応テーブル３９（図１４）に基づいて書籍データが概読のものであることを認識した場合には、未読部分以降の書籍データを１０ページ分だけ送信し、送信済みの合計ページ数を利用履歴情報として書き換えることにより、電子ブック２の書籍データに対する利用状況を正確に管理し得、常に未読部分以降の書籍データを送信し得るようになされている。
【００９６】
なお電子ブック２のＣＰＵ２０は、電子ブックサーバ３からダウンロードした１０ページ分の書籍データのうち例えば３ページ分だけを読み、残り７ページを未読の状態のまま残してしまう場合には、読み終えたページ数を利用状況データとして電子ブックサーバ３へ通知し、利用履歴対応テーブル３９を書き換えさせるようになされている。
【００９７】
これにより電子ブック２のＣＰＵ２０は、次に書籍データをダウンロードする際には正確に未読部分からダウンロードすることができるので、無駄でかつ意味のない書籍データのダウンロードを防止し得るようになされている。
【００９８】
（２−４）直接方式の購入モードによる書籍データのダウンロード権利所得及び表示処理手順
ここで、これまで説明した直接方式の購入モードによる書籍データのダウンロード権利取得処理手順及び書籍データの表示処理手順についてまとめてみると、図２３に示すように、まずステップＳＰ１において電子ブック２のＣＰＵ２０は電子ブックサーバ３に対してユーザＩＤ及びパスワードを送信することにより認証要求を行い、次のステップＳＰ２へ移る。
【００９９】
ステップＳＰ２において電子ブックサーバ３のＣＰＵ３０は、電子ブック２のユーザが正規ユーザであることを認証すると、次のステップＳＰ３において本屋選択画面４０（図８）及び書籍選択画面４４（図９）を電子ブック２へ提示し、次のステップＳＰ４へ移る。
【０１００】
ステップＳＰ４において電子ブック２のＣＰＵ２０は、書籍選択画面４４を介してユーザにより選択された書籍４５の書籍データに対するダウンロード権利所得要求を電子ブックサーバ３のＣＰＵ３０へ行い、次のステップＳＰ５へ移る。
【０１０１】
ステップＳＰ５において電子ブックサーバ３のＣＰＵ３０は、書籍購入画面（図１０）を電子ブック２へ送信し、次のステップＳＰ６へ移る。ステップＳＰ６において電子ブック２のＣＰＵ２０は、書籍購入画面５０の「購入する」ボタン５３を介してダウンロード権利所得要求の意思表示及びその際の決済要求を電子ブックサーバ３に対して行い、次のステップＳＰ７へ移る。
【０１０２】
ステップＳＰ７において電子ブックサーバ３のＣＰＵ３０は、電子ブック２のユーザによって要求された書籍データのダウンロード権利を認めると共に当該書籍データのダウンロード権利に対する課金処理を実行し、さらに電子ブック２のユーザに対する書籍購入者対応テーブル（図１３）及び利用履歴対応テーブル３９（図１４）を作成した後、次のステップＳＰ８へ移る。
【０１０３】
ステップＳＰ８において電子ブックサーバ３のＣＰＵ３０は、電子ブック２のユーザからダウンロード要求された書籍データに対して所定の１０ページ分だけを購入済書籍データベース３４Ｄから読み出して電子ブック２へ送信すると共に、利用履歴対応テーブル３９の内容を更新し、次のステップＳＰ９へ移る。
【０１０４】
ステップＳＰ９において電子ブック２のＣＰＵ２０は、電子ブックサーバ３から書籍データを受信して表示することによりユーザに対して読書させ、次のステップＳＰ１０へ移る。
【０１０５】
ステップＳＰ１０において電子ブック２のＣＰＵ２０は、電子ブックサーバ３からダウンロードした書籍データを読みかけで残り数ページを未読の状態のまま残してしまう場合には、現時点で読み終えたページ数を利用状況データとして電子ブックサーバ３に送信し、次のステップＳＰ１１へ移る。
【０１０６】
ステップＳＰ１１において電子ブックサーバ３のＣＰＵ３０は、利用状況データに基づいて利用履歴対応テーブル３９を更新し、電子ブック２による直接方式の書籍データのダウンロード権利取得処理手順及び書籍データの表示処理手順を終了する。
【０１０７】
（２−５）間接方式の購入モードによる書籍データのダウンロード権利所得及び表示処理手順
次に、間接方式の購入モードによる書籍データのダウンロード権利取得処理手順及び書籍データの表示処理手順についてまとめてみると、電子ブックシステム１は、図２４に示すように、まずステップＳＰ２１において電子ブック２がキオスク端末５の電子ブック装着口５Ａに装着されると、次のステップＳＰ２２へ移る。
【０１０８】
ステップＳＰ２２においてキオスク端末５の制御部８０は、電子ブック２のユーザによって書籍情報読取部８１にユーザ所有の書籍の表紙部分が翳されると、当該書籍情報読取部８１によって当該表紙部分を読み取り、次のステップＳＰ２３へ移る。
【０１０９】
ステップＳＰ２３においてキオスク端末５の制御部８０は、表紙部分から抽出されユーザによって選択されたキーワードに関連する複数種類の書籍の検索結果画面１００（図２０）を表示部８５に表示し、次のステップＳＰ２４へ移る。
【０１１０】
ステップＳＰ２４においてキオスク端末５の制御部８０は、検索結果画面１００の中でユーザによって選択決定された購入すべき書籍１１１を認識し、次のステップＳＰ２５へ移る。
【０１１１】
ステップＳＰ２５においてキオスク端末５の制御部８０は、ユーザによって入力されたパスワード及び電子決済のためのクレジットカード番号等に基づいて電子ブックサーバ３に対して認証処理を要求し、次のステップＳＰ２６へ移る。
【０１１２】
ステップＳＰ２６において電子ブックサーバ３のＣＰＵ３０は、電子ブック２の所有者が正規ユーザであるか否かを認証し、当該正規ユーザであることを確認できた場合に次のステップＳＰ２７へ移る。
【０１１３】
ステップＳＰ２７においてキオスク端末５の制御部８０は、選択決定された書籍１１１の書籍データに対するダウンロード要求を電子ブックサーバ３のＣＰＵ３０へ行い、次のステップＳＰ２８へ移る。
【０１１４】
ステップＳＰ２８において電子ブックサーバ３のＣＰＵ３０は、電子ブック２のユーザによってダウンロード要求された書籍データのダウンロード権利を認めると共に当該書籍データのダウンロード権利に対する課金処理を実行し、さらに電子ブック２のユーザに対する書籍購入者対応テーブル（図１３）及び利用履歴対応テーブル３９（図１４）を作成した後、次のステップＳＰ２９へ移る。
【０１１５】
ステップＳＰ２９において電子ブックサーバ３のＣＰＵ３０は、電子ブック２のユーザからダウンロード要求された書籍データに対して所定の１０ページ分だけを購入済書籍データベース３４Ｄから読み出してキオスク端末５の制御部８０へ送信すると共に、利用履歴対応テーブル３９の内容を更新し、次のステップＳＰ３０へ移る。
【０１１６】
ステップＳＰ３０においてキオスク端末５の制御部８０は、電子ブックサーバ３から１０ページ分の書籍データを受信して書籍データ格納部８４に一旦格納すると共に、電子ブック装着口５Ａに装着された電子ブック２に対して当該書籍データをデータ書込部８７を介して書き込み、次のステップＳＰ３１へ移る。
【０１１７】
ステップＳＰ３１において電子ブック２のＣＰＵ２０は、電子ブックサーバ３からキオスク端末５を介して書き込まれた書籍データを表示することによりユーザに対して読書させ、次のステップＳＰ３２へ移る。
【０１１８】
ステップＳＰ３２において電子ブック２のＣＰＵ２０は、キオスク端末５を介して取得した書籍データを読みかけで残り数ページを未読の状態のまま残してしまう場合には、現時点で読み終えたページ数を利用状況データとして電子ブックサーバ３に送信し、次のステップＳＰ３３へ移る。
【０１１９】
ステップＳＰ３３において電子ブックサーバ３のＣＰＵ３０は、利用状況データに基づいて利用履歴対応テーブル３９を更新し、電子ブック２による間接方式の書籍データのダウンロード権利取得処理手順及び書籍データの表示処理手順を終了する。
【０１２０】
（３）書籍データの表示処理
次に、電子ブック２にダウンロードした書籍データをユーザが実際に読書する際の読書モードについて説明する。
【０１２１】
（３−１）読書モードにおけるページ表示処理
電子ブック２のＣＰＵ２０は、読書モードにおいて電子ブックサーバ３からダウンロードした「マイ本棚」画面６０（図１５）を表示し、その中からユーザにより選択された書籍６１に対応する「タイトル」、「著者」、「最後に読んだ日」、「購入日」、「ページ数」及び「その他の情報（既に読み終えたページ数等）」等の属性情報が含まれた吹出部６２を介して当該書籍６１に対する概要を表示する。
【０１２２】
そして電子ブック２のＣＰＵ２０は、当該書籍６１が選択決定されると、電子ブックサーバ３から図２５に示すような当該書籍６１に関する読書決定画面１３０をダウンロードして表示する。
【０１２３】
この読書決定画面１３０には、右側表示部１１に書籍６１の表紙部分が表示されると共に、左側表示部１０には当該書籍６１に関する属性情報が含まれた吹出部６２が「マイ本棚」画面６０と同様に表示される。
【０１２４】
ユーザは、この読書決定画面１３０を確認した後、読書するか否かを決定し、読書する場合には「読む」ボタン１３３をクリックし、読書しない場合には「中止」ボタン１３４をクリックする。
【０１２５】
電子ブック２のＣＰＵ２０は、読書決定画面１３０で「読む」ボタン１３３がクリックされたことを認識すると、電子ブックサーバ３に対して当該書籍６１に対するダウンロード要求を行う。
【０１２６】
これにより電子ブックサーバ３のＣＰＵ３０は、利用履歴データベース３４Ｂの利用履歴対応テーブル３９から書籍６１の読書進行状況情報を取得し、当該読書進行状況情報と、未読部分の１０ページ分の書籍データとを電子ブック２へ送信するようになされている。
【０１２７】
この場合、図２６に示すように電子ブック２のＣＰＵ２０は、電子ブックサーバ３からダウンロードした１０ページ分の最初の２ページ（例えば１５／３５０ページと１６／３５０ページ）を右側表示部１１及び左側表示部１０にそれぞれ表示する。
【０１２８】
このとき同時に電子ブック２のＣＰＵ２０は、読書進行状況情報に応じて現在表示するページが書籍全体の総ページ数に対してどの当りの位置に相当するのかを認識し、その認識結果として、右側表示部１１の１５／３５０ページ及び左側表示部１０の１６／３５０ページの外縁部にそれぞれ実際の書籍と同様の厚みを有する縦縞模様１３６及び１３７を表示するようになされている。
【０１２９】
なお電子ブック２のＣＰＵ２０は、ページ数として「１５／３５０」や「１６／３５０」といった分数表示を１５／３５０ページ及び１６／３５０ページに対して行うようにしたことにより、現在のページ数だけでなく書籍全体の総ページ数に対してどの当りの位置に相当するのかを数字上でも正確に提示するようになされている。
【０１３０】
すなわち電子ブック２のＣＰＵ２０は、右側表示部１１の１５／３５０ページ及び左側表示部１０の１６／３５０ページの外縁部に実際の書籍と同様の厚みを有する縦縞模様１３６及び１３７を表示することにより、現在表示しているページが書籍全体としてどの当りの位置に相当するのかをユーザに対して直感的かつ大まかに認識させ得ると共に、当該１５／３５０ページ及び１６／３５０ページの片隅に「１５／３５０」及び「１６／３５０」といった分数表示を行うことにより、現在表示しているページが書籍全体としてどの当りの位置に相当するのかを数字的にも正確に認識させ得るようになされている。
【０１３１】
ところで電子ブック２のＣＰＵ２０は、読書進行状況情報に応じて現在表示すべきページが書籍全体としてどの当りの位置に相当するのかを「０」、「０．１」、「０．２」、「０．３」、……「０．９」、「１．０」までの１１段階に分けて認識し、当該１１段階毎に縦縞模様１３６及び１３７の厚さを細かく変更するようになされている。
【０１３２】
なお本実施の形態においては、１１段階に分けて認識するようにしたが、これに限るわけではなく、総ページ数の違いや、左側表示部１０及び右側表示部１１における液晶ディスプレイの表示能力に応じて縦縞模様１３６及び１３７の厚さを細かく変更するようにしても良い。
【０１３３】
従って電子ブック２のＣＰＵ２０は、読書進行状況情報が「０」であると認識した場合には、これまで一切読書されておらず未だ１ページも表示されていなかったと認識して右側の縦縞模様１３６を一切表示せず、左側の縦縞模様１３７だけを最も厚く表示する。
【０１３４】
同様に電子ブック２のＣＰＵ２０は、読書進行状況情報が「０．５」であると認識した場合には、約半分程度まで進行していると認識して縦縞模様１３６及び１３７を同等程度の厚さで表示するようになされている。
【０１３５】
このように電子ブック２のＣＰＵ２０は、読書進行状況情報を１１段階に分けて認識し、当該１１段階毎の細かさで縦縞模様１３６及び１３７の厚さを調整することにより、現実の読書進行状況と縦縞模様１３６及び１３７の厚さとの間に違和感が生じることを防止している。
【０１３６】
因みに電子ブック２のＣＰＵ２０は、図２６で示したように右側表示部１１に表示されるページが書籍表側で、左側表示部１０に表示されるページが書籍裏側となり、読書進行状況が進むに連れて縦縞模様１３６におけるページの重なり具合が次第に厚くなると共に、縦縞模様１３７におけるページの重なりが次第に薄くなるようになされている。
【０１３７】
また電子ブック２のＣＰＵ２０は、書籍の属性情報に基づいて縦書表示であるか横書表示であるかを判断し得るようになされており、横書表示であると判断した場合には、縦書表示の場合とは正反対に、左側表示部１０に表示されるページが書籍表側で、右側表示部１１に表示されるページが書籍裏側となり、読書進行状況が進むに連れて縦縞模様１３７におけるページの重なり具合が次第に厚くなると共に、縦縞模様１３６におけるページの重なりが次第に薄くなるようになされている。
【０１３８】
なお電子ブック２のＣＰＵ２０は、縦縞模様１３６及び縦縞模様１３７におけるページの重なり具合がある程度薄くなってきた場合には、残りページ数に応じて縦縞の線を当該残りページ数と実際に合致させるようになされている。
【０１３９】
なお、この場合縦縞模様１３６及び１３７に表示できる縦縞の線数は、あくまで左側表示部１０及び右側表示部１１における液晶ディスプレイの表示能力に依存するものであり、例えば残５ページ以下になった場合に残りページ数に応じた縦縞の線を当該残りページ数と実際に合致させて表示するようになされている。
【０１４０】
これによりユーザは、実際の残りページ数を縦縞模様１３６及び縦縞模様１３７におけるページの重なり具合を示す縦縞の線により、ある程度正確に認識できると共に、あたかも実際の書籍を読書しているかのように体感することができる。
【０１４１】
（３−２）読書進行状況に応じたページ表示処理手順
すなわち図２７に示すように、電子ブック２のＣＰＵ２０は、ルーチンＲＴ１の開始ステップから入ってステップＳＰ４１に移る。
【０１４２】
ステップＳＰ４１において電子ブック２のＣＰＵ２０は、「マイ本棚」画面６０（図１５）を介してユーザにより選択された書籍６１を認識し、当該書籍６１に関する読書決定画面１３０（図２５）を電子ブックサーバ３からダウンロードして表示し、次のステップＳＰ４２へ移る。
【０１４３】
ステップＳＰ４２において電子ブック２のＣＰＵ２０は、読書決定画面１３０を介して当該書籍６１を読書することが決定されたか否かを判定する。ここで否定結果が得られると、このことはユーザにより「中止」ボタン１３４がクリックされて当該書籍６１を読書する意思がないことを表しており、このとき電子ブック２のＣＰＵ２０は「マイ本棚」画面６０に戻り、他の書籍をユーザに選択させるようになされている。
【０１４４】
これに対してステップＳＰ４２で肯定結果が得られると、このことは「読む」ボタン１３３がクリックされて当該書籍６１を読書する意思がユーザにあることを表しており、このとき電子ブック２のＣＰＵ２０は次のステップＳＰ４３へ移る。
【０１４５】
ステップＳＰ４３において電子ブック２のＣＰＵ２０は、電子ブックサーバ３の利用履歴データベース３４Ｂから当該書籍６１に関する１１段階の読書進行状況情報を取得すると共に、書籍データ格納部３４Ａから当該書籍６１の書籍データをダウンロードして取得し、次のステップＳＰ４４へ移る。
【０１４６】
ステップＳＰ４４において電子ブック２のＣＰＵ２０は、ダウンロードした書籍データを表示する際、読書進行状況情報に基づいて既読部分までが全体ページの何段階に相当するかを認識し、当該段階に応じた厚さの縦縞模様１３６及び縦縞模様１３７をページ外縁部に表示し、次のステップＳＰ４５へ移る。
【０１４７】
ステップＳＰ４５において電子ブック２のＣＰＵ２０は、ユーザによって読書モードを終了する命令が入力されたか否かを判定し、否定結果が得られたときには次のステップＳＰ４６へ移る。
【０１４８】
ステップＳＰ４６において電子ブック２のＣＰＵ２０は、ジョグダイヤル１２Ａ等を介してページ捲り操作が行われたか否かを判定する。ここで否定結果が得られると電子ブック２のＣＰＵ２０はステップＳＰ４４へ戻って縦縞模様１３６及び縦縞模様１３７を継続表示する。
【０１４９】
これに対してステップＳＰ４６で肯定結果が得られると、電子ブック２のＣＰＵ２０は次のステップＳＰ４７へ移り、ページ捲り操作に応じたページ数分のページ捲り動作を行った後、ステップＳＰ４４へ戻り当該ステップＳＰ４４以降の処理を繰り返す。
【０１５０】
ところで電子ブック２のＣＰＵ２０は、ステップＳＰ４５において肯定結果が得られたときには読書モードを終了することを認識し、次のステップＳＰ４８へ移る。
【０１５１】
ステップＳＰ４８において電子ブック２のＣＰＵ２０は、現時点で読み終わった見開き２ページ分のページ数を利用状況データとして電子ブックサーバ３へ送信して利用履歴データベース３４Ｂを更新させ、次のステップＳＰ４９で読書進行状況に応じたページ表示処理手順を終了する。
【０１５２】
（３−３）読書進行状況に応じた進行状況体感的通知処理
また電子ブック２のＣＰＵ２０は、図２８（Ａ）及び（Ｂ）に示すように例えば右側表示部１１の内部に重み移動部１５０が設けられており、ＣＰＵ２０によって右側表示部１１の重心位置を移動制御し得るようになされている。
【０１５３】
重み移動部１５０は、バッテリ２８を搭載したバッテリブラケット１５１がラック１５３に固定されており、当該ラック１５３がピニオンギア１５４と係合されると共に当該ピニオンギア１５４がウォームギア１５５と系合されている。
【０１５４】
また重み移動部１５０は、ＣＰＵ２０の制御に基づいて駆動するステッピングモータ１５６によりウォームギア１５５を回転駆動するようになされており、当該ウォームギア１５５からピニオンギア１５４へ伝達された回転力によって、ラック１５３を右側表示部１１の回動軸部１２側から開放端部側までの間を平行移動し得るようになされている。
【０１５５】
これにより重み移動部１５０は、ラック１５３の平行移動に伴ってバッテリ２８も一緒に平行移動させることになり、右側表示部１１の重心位置を移動させ得るようになされている。
【０１５６】
実際上、図２９に示すように電子ブック２のＣＰＵ２０は、ルーチンＲＴ２の開始ステップから入ってステップＳＰ５１へ移る。ステップＳＰ５１において電子ブック２のＣＰＵ２０は、「マイ本棚」画面６０（図１５）を介してユーザにより選択された書籍６１を認識し、当該書籍６１に対応した読書決定画面１３０を電子ブックサーバ３へ要求すると、次のステップＳＰ５２へ移る。
【０１５７】
ステップＳＰ５２において電子ブック２のＣＰＵ２０は、電子ブックサーバ３からダウンロードした読書決定画面１３０（図２５）を介して当該書籍６１を読むことがユーザによって決定されたか否かを判定する。
【０１５８】
ここで否定結果が得られると、「中止」ボタン１３４がクリックされて書籍６１を読む意思がユーザにはないことを表しており、このとき電子ブック２のＣＰＵ２０はステップＳＰ５１に戻って再度、書籍をユーザに選択し直させる。
【０１５９】
これに対してステップＳＰ５２で肯定結果が得られると、このことは「読む」ボタン１３３がクリックされて当該書籍６１を読む意思がユーザにあることを表しており、このとき電子ブック２のＣＰＵ２０は次のステップＳＰ５３へ移る。
【０１６０】
ステップＳＰ５３において電子ブック２のＣＰＵ２０は、電子ブックサーバ３の利用履歴データベース３４Ｂから当該書籍６１に関する１１段階の読書進行状況情報を取得すると共に、書籍データ格納部３４Ａから書籍データをダウンロードして取得し、次のステップＳＰ５４へ移る。
【０１６１】
ステップＳＰ５４において電子ブック２のＣＰＵ２０は、１１段階の読書進行状況情報に応じてバッテリ２８の右側表示部１１内における位置を示した重り位置対応テーブル（図示せず）を有しており、当該重り位置対応テーブルに基づいて読書進行状況情報の段階に応じたバッテリ２８の位置を検出し、次のステップＳＰ５５へ移る。
【０１６２】
ステップＳＰ５５において電子ブック２のＣＰＵ２０は、現時点におけるバッテリ２８の右側表示部１１内における位置と、ステップＳＰ５４で読書進行状況情報に基づいて重り位置対応テーブルから検出したバッテリ２８の右側表示部１１内における位置との差分を算出して把握し、次のステップＳＰ５６へ移る。
【０１６３】
ステップＳＰ５６において電子ブック２のＣＰＵ２０は、ステップＳＰ５５で算出した差分だけを動かすための駆動命令をステッピングモータ１５６に与えることによりバッテリ２８を平行移動し、次のステップＳＰ５７へ移る。
【０１６４】
この場合、電子ブック２のＣＰＵ２０は、読書進行状況情報に基づく段階が「０」段階に近く読書の進行具合が浅い場合には、バッテリ２８を回動軸部１２側に近い個所に位置させるための駆動命令を出力し、読書進行状況情報に基づく段階が「１」段階に近く読書の進行具合が深い場合にはバッテリ２８を右側表示部１１の開放端部側の個所に位置させるための駆動命令を出力するようになされている。
【０１６５】
ステップＳＰ５７において電子ブック２のＣＰＵ２０は、ユーザによってページ捲り操作が行われたか否かを判定する。ここで肯定結果が得られると、電子ブック２のＣＰＵ２０は実際にページ捲り動作を行うと共に、ステップＳＰ５４に戻り、上述の処理を繰り返す。
【０１６６】
すなわち電子ブック２のＣＰＵ２０は、ページ捲り動作を行うと共に読書進行状況情報を把握し、ページ捲り動作に伴って読書進行状況情報が変化したことを認識すると、その変化分に応じてバッテリ２８を再度平行移動させる。
【０１６７】
これに対してステップＳＰ５７で否定結果が得られると、このことはユーザによりページ捲り操作が行われておらず、現時点のページを表示し続けると共にバッテリ２８の位置を動かす必要がないことを表しており、このとき電子ブック２のＣＰＵ２０は次のステップＳＰ５８に移って重心移動制御処理手順を終了する。
【０１６８】
従って電子ブック２のＣＰＵ２０は、読書進行状況が未だ浅く殆どページを読み進めていない場合には、バッテリ２８を回動軸部１２側に最も近い個所へ位置させ、読書進行状況が深く読書し終わりそうなページまで読み進めている場合には、バッテリ２８を右側表示部１１の開放端部側に最も近い個所へ位置させることにより、本を読み進めていく際のページ進行状況に応じて右側表示部１１における重さの印象が実際の書籍のように変化する様子をごく自然に体感させ得るようになされている。
【０１６９】
従ってユーザは、電子ブック２の体感重さが読書進行状況と共に自然に変化することを無意識に認識することになり、読書進行状況を縦縞模様１３６及び１３７を目視して確認しなくても直感的に把握することができる。
【０１７０】
なお電子ブック２では、重り制御部１５０を右側表示部１１に内蔵するようにした場合について述べたが、本発明はこれに限らず、左側表示部１０に内蔵したり、若しくは左側表示部１０及び右側表示部１１の双方に内蔵するようにしても良い。
【０１７１】
（４）動作及び効果
以上の構成において、電子ブックサーバ３のＣＰＵ３０は購入モード時、電子ブック２からのダウンロード権利取得要求に基づいて書籍データのダウンロード権利を与えると共に、当該ダウンロード権利を与えた書籍データの書籍データＩＤコードと電子ブック２の利用者ＩＤコードとを対応付けて書籍購入者対応テーブル３８（図１３）に登録し、どの書籍に対して誰がダウンロード権利を所有しているかを一元的に管理する。
【０１７２】
また、このとき電子ブックサーバ３のＣＰＵ３０は、利用者ＩＤコードに対して書籍データＩＤコード、読みかけフラグ及び読書進行状況情報といった属性情報を対応付けることにより利用履歴対応テーブル３９（図１４）を生成し、当該利用履歴対応テーブル３９を介してユーザの書籍データに関する種々の利用履歴を管理する。
【０１７３】
一方、電子ブック２のＣＰＵ２０は、電子ブックサーバ３を介して書籍データをダウンロードするためのダウンロード権利を取得すると、当該権利取得した書籍データに対する書籍データＩＤコードの通知を電子ブックサーバ３から受け、以後当該書籍データをダウンロードする際には書籍データＩＤコードを電子ブックサーバ３へ送信するだけで済む。
【０１７４】
電子ブックサーバ３のＣＰＵ３０は、電子ブック２から書籍データのダウンロード要求を受けると、利用履歴対応テーブル３９（図１４）に基づいて利用状況を確認し、未読部分以降の１０ページ分の書籍データを電子ブック２へ送信する。
【０１７５】
これにより電子ブック２のＣＰＵ２０は、書籍データのダウンロードを要求した場合、電子ブックサーバ３から未読部分の１０ページ分の書籍データを自動的に取得し得、当該１０ページ分を読み終えた時点で再度ダウンロードを要求すれば、さらに先の未読部分から１０ページ分の書籍データをダウンロードすることができる。
【０１７６】
従って電子ブック２は、ＲＡＭ２１のデータ容量が大きくなくても、ダウンロード権利に基づいて電子ブックサーバ３から未読部分以降の必要なページ数分だけを何時でも何処でも何回でも取得して表示することができる。
【０１７７】
またキオスク端末５の制御部８０は、装着口５Ａに電子ブック２が装着された状態で、書籍情報読取部８１にユーザ所有の実際の書籍における表紙部分が翳されると、当該表紙部分から読み取った画像中のキーワードを複数抽出し、その中からユーザによって選択されたキーワードに関連した書籍の検索結果画面１００（図２０）を表示することにより、ユーザ自身が考えつく範疇以外の書籍の検索結果を提示することができる。
【０１７８】
またキオスク端末５の制御部８０は、検索結果画面１００中に「キーワード」ボタン１０１、「出版社」ボタン１０２、「著者」ボタン１０３、「ジャンル」ボタン１０４、「あの人のおすすめ」ボタン１０５及び「今月の新刊１０」ボタン１０６を表示しており、さらに幅広い書籍の検索結果をユーザに提示することもできる。
【０１７９】
そしてキオスク端末５の制御部８０は、検索結果画面１００を介して書籍１１１が選択されると、当該書籍１１１の書籍データを電子ブックサーバ３から受信して、若しくは自身の書籍データ格納部８４から読み出して装着口５Ａに装着された電子ブック２に書き込む。
【０１８０】
これによりユーザは、自分自身では決して思い付かないような書籍でさえも、煩雑な検索のための操作を行うことなく検索結果画面１００を介して選択することができると共に、当該検索を行ったその場で直ちに書籍データを電子ブック２にダウンロードすることができる。
【０１８１】
このように電子ブック２は、電子ブックサーバ３に対して直接アクセスする場合だけでなく、キオスク端末５を介して書籍の検索を行うと同時に当該キオスク端末５を介して書籍データをその場で容易に取得することもできる。
【０１８２】
また電子ブック２のＣＰＵ２０は、読書モード時、ダウンロード要求を行った書籍６１に関する書籍データの読書進行状況情報を電子ブックサーバ３から取得すると共に、当該読書進行状況情報に応じた未読部分の１０ページ分の書籍データを受信する。
【０１８３】
これにより電子ブック２のＣＰＵ２０は、電子ブックサーバ３からダウンロードした１０ページ分の最初の２ページ（例えば１５／３５０ページと１６／３５０ページ）を右側表示部１１及び左側表示部１０にそれぞれ表示すると共に、右側表示部１１の１５／３５０ページ及び左側表示部１０の１６／３５０ページの外縁部に読書進行状況情報に応じた厚みを有する縦縞模様１３６及び１３７を表示する。
【０１８４】
このとき同時に電子ブック２のＣＰＵ２０は、ページ数として「１５／３５０」や「１６／３５０」といった分数表示を行うことにより、現在のページ数だけでなく書籍全体としてどの当りの位置に相当するのかを数字上でも正確に提示する。
【０１８５】
このように電子ブック２のＣＰＵ２０は、右側表示部１１の１５／３５０ページ及び左側表示部１０の１６／３５０ページの外縁部に読書進行状況情報に合致した実際の書籍と同様の厚みを有する縦縞模様１３６及び１３７を表示することにより、現在表示しているページが書籍全体としてどの当りの位置に相当するのかをユーザに対して直感的かつ大まかに認識させることができる。
【０１８６】
また同時に電子ブック２のＣＰＵ２０は、当該１５／３５０ページ及び１６／３５０ページの片隅に「１５／３５０」及び「１６／３５０」といった分数表示を行うことにより、現在表示しているページが書籍全体としてどの当りの位置に相当するのかをユーザに対して数字的にも正確に認識させることができる。
【０１８７】
さらに電子ブック２のＣＰＵ２０は、残５ページ以下になった場合に残りページ数に応じた縦縞の線を当該残りページ数と実際に合致させて表示することにより、実際の残りページ数を縦縞模様１３６及び縦縞模様１３７におけるページの重なり具合を示す縦縞の線により、ユーザに残ページ数をある程度正確に認識させることができると共に、あたかも実際の書籍を読書しているかのように印象付けることができる。
【０１８８】
さらに電子ブック２のＣＰＵ２０は、縦縞表示部１３６及び１３７を表示すると共に、そのときの読書進行状況情報にあった右側表示部１１内における最適な位置に重り移動部１５０のバッテリ２８を平行移動して位置させ、ページを読み進めていくに連れて当該バッテリ２８の位置を段階的に移動させることにより、縦縞表示部１３６及び１３７の変化と、右側表示部１１における重さの体感的な変化とに基づいてあたかも実際の書籍を読書しているかのような印象をユーザに与えることができる。
【０１８９】
また電子ブック２のＣＰＵ２０は、重り移動部１５０を介して重心移動を行う対象としてバッテリ２８を併用することにより、専用の重りを用いる場合と比較して省スペース化を図ることができると共に軽量化を図ることができる。
【０１９０】
以上の構成によれば、電子ブック２のＣＰＵ２０は、書籍データのダウンロード権利を電子ブックサーバ３から取得し、予め権利取得した書籍データに対してダウンロード要求するだけで、電子ブックサーバ３から未読部分の１０ページ分の書籍データを自動的に取得して表示することができるので、ＲＡＭ２１のデータ容量が大きくなくても、ダウンロード権利に基づいて未読部分から必要なページ数分だけを電子ブックサーバ３から何時でも何処でも何回でも容易に取得して表示することができる。
【０１９１】
またキオスク端末５は、ユーザ自身が所有する書籍の表紙部分が翳され、当該書籍の表紙部分から得たキーワードをユーザに選択させるだけで、当該キーワードに関する多種類の書籍に関する検索結果を提示することができ、ユーザに対して煩雑な操作を強いることなくユーザ自身が思いも付かないような書籍の検索結果を提示すると共に、その場で当該書籍データのダウンロード権利を与えて電子ブック２に書き込むことができる。
【０１９２】
また電子ブック２は、書籍データを左側表示部１０及び右側表示部１１に表示する際、読書進行状況情報に応じた厚さの縦縞模様１３６及び縦縞模様１３７を表示すると共に、そのときの読書進行状況情報にあった右側表示部１１内における最適な位置に重り移動部１５０のバッテリ２８を位置させ、ページを読み進めていくに連れて当該バッテリ２８の位置を段階的に移動させることにより、実際に書籍を読み進めていくときと同様の印象を体感的に与えることができる。
【０１９３】
（５）他の実施の形態
なお上述の実施の形態においては、電子ブック２におけるページ捲り動作を回動軸部１２の下端に設けられたジョグダイヤル１２Ａの回動操作に応じて実行するようにした場合について述べたが、本発明はこれに限らず、例えば図３０に示すように回動軸部１２の中心軸の延長線上に設けられたジョグダイヤル状のジョグダイヤル摘み１６０を介してページ捲り動作を実行したり、また図３１に示すように例えば右側表示部１１の背面側に設けられた円盤状のジョグダイヤル１６１を介してページ捲り動作を実行しても良い。
【０１９４】
また上述の形態においては、電子ブック２のＣＰＵ２０によって表示される文字が一定の大きさである場合について述べたが、本発明はこれに限らず、書籍データの表示前又は表示中において、相対値又は絶対値の入力により文字サイズをデフォルトの状態よりも任意に大きく又は小さく変更して表示するようにしても良い。
【０１９５】
さらに上述の実施の形態においては、電子ブック２のＣＰＵ２０が書籍データを予め所定文字数で区分けされたページ単位で表示するようにした場合について述べたが、本発明はこれに限らず、文字サイズの変更に伴ってページの区分け単位を変更した新たなページ単位で表示するようにしても良い。
【０１９６】
この場合、電子ブック２のＣＰＵ２０は、新たなページに基づく総ページ数を算出し直すと共に、読書進行状況を算出し直して縦縞模様１３６及び１３７の厚さを再調整するようにすれば良い。これにより電子ブック２のＣＰＵ２０は、書籍データが所定文字数でページ単位に区分けされていない場合でも柔軟に対応することができる。
【０１９７】
さらに上述の実施の形態においては、電子ブック２のＣＰＵ２０が書籍データに応じた文字を単に表示するようにした場合について述べたが、本発明はこれに限らず、ユーザ所望する個所の文字や分節等をジョグダイヤル１２Ａや他の入力手段等で指定し、当該指定した範囲の文字や分節等の背景色を所定の色に変更して表示したり、当該文字や分節等自体を所定の色に変更して表示することによりマーキングするようにしても良い。
【０１９８】
これにより電子ブック２のＣＰＵ２０は、再度書籍データを表示する際にマーキングした状態で表示することができるので、ユーザが所望する個所が何処にあるかを当該マーキングを介して一目瞭然に判別させ得ることができる。
【０１９９】
さらに上述の実施の形態においては、電子ブック２のＣＰＵ２０が書籍データに応じた文字を単に表示するようにした場合について述べたが、本発明はこれに限らず、任意に指定された文字等の単語について辞書検索を実行するようにしても良い。この場合、電子ブック２のＣＰＵ２０は、自身の不揮発性メモリ２３に格納している辞書アプリケーションプログラムを利用したり、若しくは電子ブックサーバ３の書籍データ格納部に格納されている辞書アプリケーションプログラムを利用するようにしても良い。
【０２００】
さらに上述の実施の形態においては、電子ブック２のＣＰＵ２０が電子ブックサーバ３から書籍データを１０ページ分ずつダウンロードするようにした場合について述べたが、本発明はこれに限らず、ユーザ自身が所有するパーソナルコンピュータ等に書籍データを全てダウンロードし、必要に応じて当該パーソナルコンピュータから１０ページ分づつ書籍データを転送すると共に、読書進行状況を当該パーソナルコンピュータによって管理するようにしても良い。
【０２０１】
さらに上述の実施の形態においては、縦縞模様１３６及び１３７の厚さを調整することにより読書進行状況を直感的かつ大まかにユーザに認識させるようにした場合について述べたが、本発明はこれに限らず、図３２（Ａ）及び（Ｂ）に示すように矢印のサイズや矢印の個数の差によって読書進行状況を直感的にユーザに認識させるようにしてもよく、また図３２（Ｃ）に示すように縦縞模様１３６及び１３７に代えて厚さ部分を赤色表示部１９０及び青色表示部１９１として表示したり、階調を変更することにより読書進行状況を直感的かつ大まかにユーザに認識させるようにしてもよい。
【０２０２】
さらに上述の実施の形態においては、図１６に示したように書籍６１を決定した後に直接ページを捲る状態から表示するようにした場合について述べたが、本発明はこれに限らず、図３３（Ａ）、（Ｂ）及び（Ｃ）に示すように、先ず最初に書籍６１の背表紙を表示し、その後に当該書籍６１を開く過程を示し、最後にページを開いた状態へ段階的に以降するようにしても良い。これによれば、当該書籍６１が右開きであることを最初に認識させることができる。
【０２０３】
さらに上述の実施の形態においては、書籍データの文字を通常の表示形態で表示するようにした場合について述べたが、本発明はこれに限らず、図３４及び図３５に示すように所定のボタン操作等に対応して書籍データの文字をＳ字上に曲げて表示したり、散点的に表示する等の特殊形態で表示するようにしても良い。この場合も電子ブック２のＣＰＵ２０は、ページ数の区分を変更して総ページ数を算出し直し、新たな総ページ数に対応して読書進行状況を再度検出して縦縞模様１３６及び１３７を新に表示し直すことにより、特殊表示形態における読書進行状況をユーザに対して直感的に認識させ得るようになされている。
【０２０４】
さらに上述の実施の形態においては、ラックアンドピニオン構成でなる重み移動部１５０を右側表示部１１に内蔵するようにした場合について述べたが、本発明はこれに限らず、重り１７１が直線的に矢印方向へ平行移動する直動タイプのリニアモータ１７０等を右側表示部１１に内蔵するようにしても良い。
【０２０５】
さらに上述の実施の形態においては、キオスク端末５を介して書籍の表紙部分９０を読み取ることにより関連する他の書籍を検索して表示し、その中から選択された他の書籍データを電子ブック２に書き込むようにした場合について述べたが、本発明はこれに限らず、コンテンツ記録媒体であるＣＤやゲームソフトの表紙カバー等を読み取ることにより関連する他のＣＤやゲームソフトを検索して表示し、その中から選択された他のＣＤの音楽データやゲームソフトのプログラムデータ等を電子ブック２に書き込むようにしても良い。
【０２０６】
さらに上述の実施の形態においては、電子ブックサーバ３のＣＰＵ３０が書籍データ格納部３４Ａに予め格納された書籍データ提供プログラムとしてのアプリケーションプログラムをＲＡＭ３２上に展開し、当該書籍データ提供プログラムに従って上述の書籍データの権利取得処理手順及び表示処理手順を行うようにした場合について述べたが、本発明はこれに限らず、書籍データ提供プログラムが格納されたプログラム格納媒体を電子ブックサーバ３にインストールすることにより行うようにしても良い。
【０２０７】
このように上述した一連の処理を実行するための書籍データ提供プログラムを電子ブックサーバ３にインストールして実行可能な状態にするためのプログラム格納媒体としては、例えばフロッピー（登録商標）ディスク、ＣＤ−ＲＯＭ（Compact Disc-Read Only Memory ）、ＤＶＤ（Digital Versatile Disc）等のパッケージメディアのみならず、書籍データ提供プログラムが一時的もしくは永続的に格納される半導体メモリや磁気ディスク等で実現しても良い。またこれらプログラム格納媒体に書籍データ提供プログラムを格納する手段として、ローカルエリアネットワークやインターネット、ディジタル衛星放送等の有線及び無線通信媒体を利用してもよく、ルータやモデム等の各種通信インターフェースを介して格納するようにしても良い。
【０２０８】
さらに上述の実施の形態においては、電子ブックサーバ３から書籍データをダウンロードして表示するものとして専用端末である電子ブック２を用いるようにした場合について述べたが、本発明はこれに限らず、小型のパーソナルコンピュータ、ＰＤＡ（Personal Digital Assistant）等の他の種々の情報処理装置を用いるようにしても良い。
【０２０９】
さらに上述の実施の形態においては、電子ブック２に対して書籍データのダウンロード権利を与える権利授与手段としてのＣＰＵ３０と、当該ダウンロード権利を与えたことに対して電子ブック２の利用者ＩＤコードと書籍データＩＤコードとを対応付けた書籍購入者対応テーブル３８を生成して記憶する管理手段としてのＣＰＵ３０及び書籍データ格納部３４Ａと、電子ブック２から書籍データのダウンロード要求を受けると、書籍購入者対応テーブル３８に基づいて当該書籍データが予めダウンロード権利が取得されたものであることを確認し、当該確認を得た場合に書籍データを予め決められた１０ページ分だけ電子ブック２へ送信する制御手段としてのＣＰＵ３０及び書籍データ格納部３４Ａとによって本発明の電子ブックサーバを構成するようにした場合について述べたが、本発明はこれに限らず、書籍購入者対応テーブル３８を購入済書籍データベース３４Ｄに格納していても良く、この他の種々の構成による権利授与手段、管理手段及び制御手段によって電子ブックサーバを構成するようにしても良い。
【図面の簡単な説明】
【０２１０】
【図１】本発明の実施の形態における電子ブックシステムの全体構成を示す略線図である。
【図２】電子ブックの外観構成を示す略線図である。
【図３】電子ブックの使用状態を示す略線図である。
【図４】電子ブックのページ捲り動作（１）を示す略線図である。
【図５】電子ブックのページ捲り動作（２）を示す略線図である。
【図６】電子ブックのページ捲り動作（３）を示す略線図である。
【図７】電子ブックの回路構成を示す略線的ブロック図である。
【図８】電子ブックに表示される本屋選択画面を示す略線図である。
【図９】電子ブックに表示される書籍選択画面を示す略線図である。
【図１０】電子ブックに表示される書籍購入画面を示す略線図である。
【図１１】電子ブックサーバの回路構成を示す略線的ブロック図である。
【図１２】電子ブックサーバが管理する書籍名対応テーブルを示す略線図である。
【図１３】電子ブックサーバが管理する書籍／購入者対応テーブルを示す略線図である。
【図１４】電子ブックサーバが管理する利用履歴対応テーブルを示す略線図である。
【図１５】電子ブックに表示される「マイ本棚」画面を示す略線図である。
【図１６】書籍内容への表示切換状態を示す略線図である。
【図１７】キオスク端末の回路構成を示す略線的ブロック図である。
【図１８】キオスク端末に表示される書籍の表紙部分の読取結果を示す略線図である。
【図１９】電子ブックサーバが管理するキーワード対応テーブルを示す略線図である。
【図２０】キオスク端末に表示される検索結果画面を示す略線図である。
【図２１】キオスク端末に表示される今月の新刊に関する検索結果画面を示す略線図である。
【図２２】キオスク端末に表示される今月の書籍データ購入終了画面を示す略線図である。
【図２３】直接方式の購入モードによる書籍データの権利取得処理手順及び表示処理手順を示すフローチャートである。
【図２４】間接方式の購入モードによる書籍データの権利取得処理手順及び表示処理手順を示すフローチャートである。
【図２５】電子ブックに表示される読書決定画面を示す略線図である。
【図２６】電子ブックに表示される読書進行状況に応じたページ表示の状態を示す略線図である。
【図２７】読書進行状況に応じたページ表示処理手順を示すフローチャートである。
【図２８】重心移動を行うための構成の説明に供する略線図である。
【図２９】重心移動制御処理手順を示すフローチャートである。
【図３０】他の実施の形態におけるジョグダイヤル摘みによるページ捲り動作を示す略線図である。
【図３１】他の実施の形態における背面のジョグダイヤルによるページ捲り動作を示す略線図である。
【図３２】他の実施の形態における読書進行状況の表示形態を示す略線図である。
【図３３】他の実施の形態における表示態様を示す略線図である。
【図３４】他の実施の形態における文字表示方法（１）を示す略線図である。
【図３５】他の実施の形態における文字表示方法（２）を示す略線図である。
【図３６】他の実施の形態におけるリニアモータ等を用いた重心移動の構成の説明に供する略線図である。
【符号の説明】
【０２１１】
１……電子ブックシステム、２……電子ブック、３……電子ブックサーバ、５……キオスク端末、１０……左側表示部、１１……右側表示部、１２……回動軸部、１２A……ジョグダイヤル、２０、３０……ＣＰＵ、２８……バッテリ、３４……ＨＤＤ、８０……制御部、１５０……重り移動部。
【図１】
2008033945.tif 000003
【図２】
2008033945.tif 000004
【図３】
2008033945.tif 000005
【図４】
2008033945.tif 000006
【図５】
2008033945.tif 000007
【図６】
2008033945.tif 000008
【図７】
2008033945.tif 000009
【図８】
2008033945.tif 000010
【図９】
2008033945.tif 000011
【図１０】
2008033945.tif 000012
【図１１】
2008033945.tif 000013
【図１２】
2008033945.tif 000014
【図１３】
2008033945.tif 000015
【図１４】
2008033945.tif 000016
【図１５】
2008033945.tif 000017
【図１６】
2008033945.tif 000018
【図１７】
2008033945.tif 000019
【図１８】
2008033945.tif 000020
【図１９】
2008033945.tif 000021
【図２０】
2008033945.tif 000022
【図２１】
2008033945.tif 000023
【図２２】
2008033945.tif 000024
【図２３】
2008033945.tif 000025
【図２４】
2008033945.tif 000026
【図２５】
2008033945.tif 000027
【図２６】
2008033945.tif 000028
【図２７】
2008033945.tif 000029
【図２８】
2008033945.tif 000030
【図２９】
2008033945.tif 000031
【図３０】
2008033945.tif 000032
【図３１】
2008033945.tif 000033
【図３２】
2008033945.tif 000034
【図３３】
2008033945.tif 000035
【図３４】
2008033945.tif 000036
【図３５】
2008033945.tif 000037
【図３６】
2008033945.tif 000038